(57)【要約】      （修正有）【課題】重量物を取り扱う電気作業を行う作業者の重量物落下による爪先部分の怪我と、感電事故とをそれぞれ防止することが可能な爪先補強型耐電ゴム長靴を提供する。【解決手段】爪先部分１２におけるソール部分１４に繊維補強樹脂材料により形成された補強芯材２０が配設されている爪先補強型耐電ゴム長靴１０であって、補強芯材は爪先部分の外側輪郭線に沿って所要幅で内側に延伸する内側延伸部と、側壁部および上壁部とを有し、補強芯材は、爪先部分に内側延伸部の下面を当接させた状態で配設され、側壁部および上壁部が爪先補強型耐電ゴム長靴の外側ゴム材１８により被覆されている。【選択図】図１
0003210811.tif 000002
【実用新案登録請求の範囲】
【請求項１】
爪先部分に繊維補強樹脂材料により形成された補強芯材が配設されていることを特徴とする爪先補強型耐電ゴム長靴。
【請求項２】
前記補強芯材は、前記爪先部分の外側輪郭線に沿って所要幅で内側に延伸する内側延伸部と、側壁部および上壁部とを有し、
前記補強芯材は、前記爪先部分におけるソール部分に前記内側延伸部の下面を当接させた状態で配設されていて、
前記側壁部および上壁部の外側面が外側ゴム材により被覆されていて、前記側壁部および上壁部の内側面が中張り材により被覆されていることを特徴とする請求項１記載の爪先補強型耐電ゴム長靴。
【請求項３】
前記補強芯材の踵側開口端縁部を含む所要幅範囲における前記外側ゴム材の厚さは、前記補強芯材の他の部位における前記外側ゴム材の厚さよりも肉厚になっていることを特徴とする請求項２記載の爪先補強型耐電ゴム長靴。
【請求項４】
前記補強芯材の踵側開口端縁部には、前記中張り材と前記補強芯材との段差を解消させるための段差解消部材が配設されていることを特徴とする請求項２または３記載の爪先補強型耐電ゴム長靴。
【請求項５】
前記踵側開口端縁部を含む所要幅範囲には、前記段差解消部材と前記補強芯材とにわたって押えテープが取り付けられていることを特徴とする請求項４記載の爪先補強型耐電ゴム長靴。
【考案の詳細な説明】
【技術分野】
【０００１】
本考案は爪先補強型耐電ゴム長靴に関する。
【背景技術】
【０００２】
従来、各種作業をする際において重量物の落下による作業者の爪先部分の怪我を防止するための安全靴については、特許文献１および２に開示されているような構成のものが提案されている。
【先行技術文献】
【特許文献】
【０００３】
【特許文献１】実開昭５２−１４８２４４号公報
【特許文献２】実用新案登録第３１３３７７２号公報
【考案の概要】
【考案が解決しようとする課題】
【０００４】
特許文献１および特許文献２に開示されている安全靴は、作業者が物を落としてしまったときの爪先部分の怪我を防止するためのものであって、十分な耐電性能を有していない。このため電気作業における感電事故を防ぐことができないといった課題を有している。
【０００５】
そこで本考案は、重量物を取り扱う電気作業を行う作業者の重量物落下による爪先部分の怪我と感電事故をそれぞれ防止することが可能な爪先補強型耐電ゴム長靴の提供を目的としている。
【課題を解決するための手段】
【０００６】
上記課題を解決するために本考案者は鋭意研究を行った結果、以下の構成に想到した。すなわち、爪先部分に繊維補強樹脂材料により形成された補強芯材が配設されていることを特徴とする爪先補強型耐電ゴム長靴である。
【０００７】
これにより、重量物を取り扱う電気作業を行う作業者の重量物の落下による爪先部分の怪我と感電事故をそれぞれ防止することが可能になる。
【０００８】
また、前記補強芯材は、前記爪先部分の外側輪郭線に沿って所要幅で内側に延伸する内側延伸部と、側壁部および上壁部とを有し、前記補強芯材は、前記爪先部分におけるソール部分に前記内側延伸部の下面を当接させた状態で配設されていて、前記側壁部および上壁部の外側面が外側ゴム材により被覆されていて、前記側壁部および上壁部の内側面が中張り材により被覆されていることが好ましい。
【０００９】
これにより、爪先部分に補強芯材を安定させた状態で配設することができ、使用者の装着感を良好にすることができる。
【００１０】
また、前記補強芯材の踵側開口端縁部を含む所要幅範囲における前記外側ゴム材の厚さは、前記補強芯材の他の部位における前記外側ゴム材の厚さよりも肉厚になっているが好ましい。
【００１１】
これにより、爪先補強型耐電ゴム長靴を長期にわたって使用した場合であっても、外側ゴム材が補強芯材の踵側における開口端縁部で裂けてしまわないようにすることができる。
【００１２】
また、前記補強芯材の踵側開口端縁部には、前記中張り材と前記補強芯材との段差を解消させるための段差解消部材が配設されていることが好ましい。
【００１３】
これにより、爪先補強型耐電ゴム長靴の外観形状を良好なものにすることができる。また、踵側開口端縁部における外側ゴム材の破損を防止することができる。
【００１４】
また、前記踵側開口端縁部を含む所要幅範囲には、前記段差解消部材と前記補強芯材とにわたって押えテープが取り付けられていることがより好ましい。
【００１５】
これにより、踵側開口端縁部において段差解消部材と補強芯材との表面の平滑性を高めることができるので、爪先補強型耐電ゴム長靴の外観を良好なものにすることができる。
【考案の効果】
【００１６】
本考案にかかる構成を採用することにより、重量物を取り扱う電気作業を行う作業者の重量物の落下による爪先部分の怪我と感電事故をそれぞれ防止することが可能になる。
【図面の簡単な説明】
【００１７】
【図１】本実施形態における爪先補強型耐電ゴム長靴の側面図である。
【図２】本実施形態における爪先補強型耐電ゴム長靴の爪先部分の平面図である。
【図３】爪先補強型耐電ゴム長靴の爪先部分に配設されている補強芯材の説明図である。
【図４】図２内のＩＶ−ＩＶ線における概略端面図である。
【図５】変形例を示す図４相当図である。
【考案を実施するための形態】
【００１８】
以下、本考案における爪先補強型耐電ゴム長靴の実施形態について図面に基づいて具体的に説明する。図１〜図３に示すように、本実施形態における爪先補強型耐電ゴム長靴１０の爪先部分１２には、繊維補強樹脂材料により形成された補強芯材２０が配設されている。補強芯材２０の内側面は中張り材１６により被覆されている。また、補強芯材２０の外側面は外側ゴム材１８により被覆されている。中張り材１６および外側ゴム材１８は、耐電ゴム長靴において通常用いられている公知の材料を使用することができるため、ここでの詳細な説明は省略している。
【００１９】
補強芯材２０は、爪先補強型耐電ゴム長靴１０の爪先部分１２における外側輪郭線に沿って所要幅で曲折し爪先部分１２の内側に延伸する内側延伸部２２と、側壁部２４および上壁部２６とを有している。図３および図４から明らかであるが、補強芯材２０はソール部分１４との対向面と、爪先を進入させる部分である踵側が開口端縁部（開口面）に形成されている。
【００２０】
補強芯材２０の側壁部２４は、使用者の親指側はソール部分１４の上面においてソール部分１４の内側に向けて傾斜する傾斜面２４Ａに形成されていて、使用者の小指側はソール部分１４の上面に対してほぼ垂直面２４Ｂに形成されている。また補強芯材２０の上壁部２６は、使用者の親指と人差し指の位置がほぼ水平面２６Ａに形成されていて、使用者の中指から小指の部分にかけては小指側が徐々に低くなる傾斜面２６Ｂに形成されている。
【００２１】
側壁部２４と上壁部２６とは、互いが交差する部分は角丸形状に形成された、いわゆるアール加工がなされている。このような補強芯材２０の形態を採用することにより、爪先部分１２がゆったりとした使用感を提供することができる。また、作業姿勢時において補強芯材２０が配設されている爪先部分の内側に使用者の足の指が当たってしまう不具合を防止することもできる。
【００２２】
また、本実施形態における補強芯材２０は繊維補強樹脂材料により形成されているため、補強芯材２０の外表面を従来の鉄製補強芯材や樹脂製補強芯材の外表面に比較して、粗い状態（粗面）に形成されている。これにより補強芯材２０と爪先補強型耐電ゴム長靴１０のゴム材料（中張り材１６および外側ゴム材１８）との密着性を向上させることができる点においても好都合である。
【００２３】
図４に示すように、本実施形態においては補強芯材２０の踵側開口端縁部２８を含む所要幅範囲における外側ゴム材１８の被覆厚さを補強芯材２０の他の部位における外側ゴム材１８の被覆厚さよりも肉厚にした肉厚部Ｗに形成している。このような肉厚部Ｗの構成を採用することで、爪先補強型耐電ゴム長靴１０を繰り返し使用しても、補強芯材２０の踵側開口端縁部２８において外側ゴム材１８が裂けてしまうといった不具合を防止することができる。また、使用者が爪先立ち状態になった際等において、使用者の足に補強芯材２０の踵側開口端縁部２８が当たったときにおける緩衝材とすることができる。
【００２４】
また、図５に示すように、踵側開口端縁部２８には、補強芯材２０と外側ゴム材１８との段差を解消させるための段差解消部材としての段差テープ４０が配設されている。また、段差テープ４０の上面と補強芯材２０の上面には、両者をなだらかに接続するための押えテープ５０を取り付けてもよい。
【００２５】
段差テープ４０は補強芯材２０の踵側開口端縁部２８に突き合わせるようにして配設されている。段差テープ４０の長手方向に直交する方向の断面形状は、踵側開口端縁部２８から離反するに伴い徐々に薄肉となる三角形状をなしている。また、押えテープ５０は補強芯材２０と段差テープ４０の両者にわたって貼り付けられていて、補強芯材２０と段差テープ４０のとのつながりをなだらかにさせるためのものである。段差テープ４０および押えテープ５０は補強芯材２０と共に外側ゴム材１８により被覆される。これら段差テープ４０および押えテープ５０の構成を採用することで、爪先補強型耐電ゴム長靴１０の外観形状を良好なものにすることができる点において好都合である。
【００２６】
本実施形態における爪先補強型耐電ゴム長靴１０の後端部分に突起３０を配設している（図１参照）。爪先補強型耐電ゴム長靴１０を脱ぐ際は、爪先補強型耐電ゴム長靴１０を装着している一方の足の足裏部分で爪先補強型耐電ゴム長靴１０を装着している他方の足に装着している爪先補強型耐電ゴム長靴１０の突起３０を上側から押さえればよい。これにより、使用者は装着している爪先補強型耐電ゴム長靴１０を立ったままの状態で容易に脱ぐことができる。
【００２７】
次に、爪先補強型耐電ゴム長靴１０の製造工程について説明する。まずソール部分１４およびインソールＩＳと中張り材１６を一体化した中間体を形成する。インソールＩＳは爪先部分１２においてソール部分１４の平面形状より内側延伸部２２の延設分だけ小さい平面形状に形成されていることが好ましい。
【００２８】
次に、この中間体の爪先部分１２の外側輪郭線（爪先部分１２の先端部外周縁）に沿って内側延伸部２２の下面をソール部分１４の上面に当接させ、上壁部２６で中張り材１６を被覆した状態で補強芯材２０を爪先部分１２に設置する。これにより、補強芯材２０の内側面が中張り材１６により被覆された状態になる。このとき、補強芯材２０の踵側開口端縁部２８と中張り材１６との段差を解消させるために、段差テープ４０を踵側開口端縁部２８に突き合わせた状態にして中張り材１６に貼付する。そして、段差テープ４０と補強芯材２０とにわたって押えテープ５０を貼付しておくことが好ましい。
【００２９】
続いて補強芯材２０の外側面を爪先補強型耐電ゴム長靴１０の外側ゴム材１８により被覆することにより、補強芯材２０を爪先部分１２に埋設させた状態にする。外側ゴム材１８は補強芯材２０の踵側開口端縁部２８を含む所要幅範囲における厚さが、補強芯材２０の他の部位における厚さ寸法よりも肉厚にさせておくことが好ましい。このようにして形成した爪先補強型耐電ゴム長靴１０の中間体を圧力容器内で加熱処理（加硫処理）することで爪先補強型耐電ゴム長靴１０を得ることができる。
【００３０】
以上に、本考案にかかる爪先補強型耐電ゴム長靴１０の実施形態について説明をしたが、本考案の技術的範囲は、以上の実施形態に限定されるものではなく、考案の要旨を変更しない範囲において各種の変更を施した構成であっても本考案の技術的範囲に属する。例えば、以上に説明した実施形態にかかる爪先補強型耐電ゴム長靴１０は、爪先補強型耐電ゴム長靴１０の後端部分に突起３０を有する構成について説明しているが、突起３０の配設を省略した形態を採用することもできる。
【００３１】
また、以上の実施形態においては、補強芯材２０の外表面が外側ゴム材１８に被覆されている形態について説明しているが、補強芯材２０が爪先補強型耐電ゴム長靴１０の爪先部分１２に強固に固定されている場合には、補強芯材２０が露出している形態を採用することもできる。
【００３２】
また、爪先補強型耐電ゴム長靴１０の外側ゴム材１８の肉厚を十分確保することができれば、肉厚部Ｗの配設を省略し、補強芯材２０の踵側開口端縁部２８を含む所要幅範囲における外側ゴム材１８による被覆厚さを補強芯材２０の他の部位における被覆厚さと等しくさせた形態を採用することもできる。
【００３３】
さらにまた、段差解消部材としての段差テープ４０の配設の有無や段差テープの形状は適宜変更可能である。そして、押えテープ５０の配設の有無についても適宜選択することができる。
【００３４】
そして以上に説明した実施形態や各種変形例を適宜組み合わせた爪先補強型耐電ゴム長靴１０の構成を採用することも可能である。
【符号の説明】
【００３５】
１０  爪先補強型耐電ゴム長靴，
１２  爪先部分，１４  ソール部分，１６  中張り材，１８  外側ゴム材，
２０  補強芯材，
２２  内側延伸部，
２４  側壁部，２４Ａ  傾斜面，２４Ｂ  垂直面，
２６  上壁部，２６Ａ  水平面，２６Ｂ  傾斜面，
２８  踵側開口端縁部，
３０  突起，４０  段差テープ（段差解消部材），５０  押えテープ，
ＩＳ  インソール，Ｗ  肉厚部
【図１】
0003210811.tif 000003
【図２】
0003210811.tif 000004
【図３】
0003210811.tif 000005
【図４】
0003210811.tif 000006
【図５】
0003210811.tif 000007